(57)【要約】【課題】映像表示装置における映写用のスクリーンを大きくしたとしても、この映像表示装置の全体的な形状をコンパクトにできるようにして、この装置を狭いところにでも設置できるようにする。【解決手段】映像表示装置１は、映像光６の受光面とされる後面２０、および映像光６の映像を映写する映写面とされる前面２１を有する透光性スクリーン５と、映像光６を発光する発光体７とを備える。発光体７が、スクリーン５の後面２０近傍で、この後面２０に沿った方向で複数配置される発光ダイオード２４と、各発光ダイオード２４をそれぞれその後方から覆い、これら発光ダイオード２４からの映像光６をスクリーン５の後面２０に向かわせるようこのスクリーン５の後面２０に向かって開口する複数のカバー２５とを備える。【選択図】図１
2008040040.tif 000002
【特許請求の範囲】
【請求項１】
映像光の受光面とされる後面、および上記映像光の映像を映写する映写面とされる前面を有する透光性スクリーンと、上記映像光を発光する発光体とを備えた映像表示装置において、
上記発光体が、上記スクリーンの後面近傍で、この後面に沿った方向で複数配置される発光ダイオードと、上記各発光ダイオードをそれぞれその後方から覆い、これら発光ダイオードからの映像光を上記スクリーンの後面に向かわせるようこのスクリーンの後面に向かって開口する複数のカバーとを備えたことを特徴とする映像表示装置。
【請求項２】
上記発光ダイオードをカバーに取り付け、これら各カバーの開口縁部をそれぞれ上記スクリーンの後面に取り付けたことを特徴とする請求項１に記載の映像表示装置。
【請求項３】
上記スクリーンを可撓性とし、上記スクリーンの後面に沿った方向で上記各カバーを互いに離間させたことを特徴とする請求項２に記載の映像表示装置。
【請求項４】
上記各カバーを上記スクリーンの後面にほぼ直交する方向で後方に向かって突出させ、かつ、上記各カバーをその突出方向に向かってのテーパ形状とし、上記各カバーの突出端部に上記発光体を取り付けたことを特徴とする請求項１から３のうちいずれか１つに記載の映像表示装置。
【請求項５】
上記スクリーンを支持する支持体を設け、この支持体側に対し、上記各カバーがそれぞれ相対変動可能となるようにしたことを特徴とする請求項１に記載の映像表示装置。
【請求項６】
上記スクリーンに対し、上記各カバーを圧接させるようこれら各カバーを付勢する弾性体を設けたことを特徴とする請求項５に記載の映像表示装置。
【発明の詳細な説明】
【技術分野】
【０００１】
本発明は、複数の発光体により発光された複数の映像光により、映像を映写させるスクリーンを備えた映像表示装置に関するものである。
【背景技術】
【０００２】
映像表示装置には、従来、下記特許文献１に示されるものがある。この公報のものによれば、映像表示装置は、映像光の受光面とされる後面、および上記映像光の映像を映写する映写面とされる前面を有する透光性スクリーンと、上記映像光を発光する発光体とを備えている。
【０００３】
そして、上記発光体によりスクリーンに向けて映像光を発光させれば、この映像光は上記スクリーンの後面で受光されてこのスクリーンをその前面側に透過し、この前面で上記映像光の映像が映写される。この際、上記スクリーンの前方に居る人により、映像が観賞など見ることが可能とされる。
【特許文献１】特開２００４−３７５８８号公報
【発明の開示】
【発明が解決しようとする課題】
【０００４】
ところで、上記発光体から発光される映像光の横断面の面積は、上記発光体からスクリーンに向かうに従い漸次大きくなるものである。このため、上記スクリーンで映写される映像を大きくしようとすると、その分、上記スクリーンの後方に向けて、より遠くに発光体を引き離す必要が生じる。しかし、このようにすると、上記映像表示装置の全体形状が大きくなって、この装置の設置場所が大きく制限されることになるなど、好ましくない。
【０００５】
また、映像表示装置の設置の条件上、スクリーンを湾曲させるなど屈曲させたい場合がある。しかし、スクリーンを屈曲させると、このスクリーンに映写される映像の少なくとも一部が不鮮明になるおそれが生じる。
【課題を解決するための手段】
【０００６】
本発明は、上記のような事情に注目してなされたもので、本発明の目的は、映像表示装置における映写用のスクリーンを大きくしたとしても、この映像表示装置の全体的な形状をコンパクトにできるようにして、この装置を狭いところにでも設置できるようにすることである。
【０００７】
また、本発明の他の目的は、上記映像表示装置の構成を簡単にできるようにすることである。
【０００８】
また、本発明の更に他の目的は、上記スクリーンを２次元もしくは３次元に任意に屈曲させることができるようにして、映像表示装置の設置の自由度を向上させるようにし、かつ、このように屈曲させたとしても、スクリーンの各部に映写される各部映像はそれぞれ鮮明に表示されるようにすることである。
【０００９】
請求項１の発明は、全図に例示するように、映像光６の受光面とされる後面２０、および上記映像光６の映像を映写する映写面とされる前面２１を有する透光性スクリーン５と、上記映像光６を発光する発光体７とを備えた映像表示装置において、
上記発光体７が、上記スクリーン５の後面２０近傍で、この後面２０に沿った方向で複数配置される発光ダイオード２４と、上記各発光ダイオード２４をそれぞれその後方から覆い、これら発光ダイオード２４からの映像光６を上記スクリーン５の後面２０に向かわせるようこのスクリーン５の後面２０に向かって開口する複数のカバー２５とを備えたものである。
【００１０】
請求項２の発明は、図１−４に例示するように、請求項１の発明に加えて、上記発光ダイオード２４をカバー２５に取り付け、これら各カバー２５の開口縁部をそれぞれ上記スクリーン５の後面２０に取り付けたものである。
【００１１】
請求項３の発明は、図１−４に例示するように、請求項２の発明に加えて、上記スクリーン５を可撓性とし、上記スクリーン５の後面２０に沿った方向で上記各カバー２５を互いに離間させたものである。
【００１２】
請求項４の発明は、全図に例示するように、請求項１から３のうちいずれか１つの発明に加えて、上記各カバー２５を上記スクリーン５の後面２０にほぼ直交する方向で後方に向かって突出させ、かつ、上記各カバー２５をその突出方向に向かってのテーパ形状とし、上記各カバー２５の突出端部に上記発光体７を取り付けたものである。
【００１３】
請求項５の発明は、図１，２，５，６に例示するように、上記スクリーン５を支持する支持体４を設け、この支持体４側に対し、上記各カバー２５がそれぞれ相対変動Ａ，Ｂ可能となるようにしたものである。
【００１４】
なお、上記支持体４側とは、この支持体４に固定される配線パイプ２９、ボルト３５、支持フレーム４３、ボルト４４を含むものである。
【００１５】
請求項６の発明は、図５，６に例示するように、上記スクリーン５に対し、上記各カバー２５を圧接させるようこれら各カバー２５を付勢する弾性体３８を設けたものである。
【００１６】
なお、この項において、上記各用語に付記した符号は、本発明の技術的範囲を後述の「実施例」の項や図面の内容に限定解釈するものではない。
【発明の効果】
【００１７】
本発明による効果は、次の如くである。
【００１８】
請求項１の発明は、映像光の受光面とされる後面、および上記映像光の映像を映写する映写面とされる前面を有する透光性スクリーンと、上記映像光を発光する発光体とを備えた映像表示装置において、
上記発光体が、上記スクリーンの後面近傍で、この後面に沿った方向で複数配置される発光ダイオードと、上記各発光ダイオードをそれぞれその後方から覆い、これら発光ダイオードからの映像光を上記スクリーンの後面に向かわせるようこのスクリーンの後面に向かって開口する複数のカバーとを備えている。
【００１９】
このため、前後方向で上記スクリーンと発光体とは互いに接近して、上記映像表示装置は全体として偏平な形状とされる。よって、上記映像表示装置におけるスクリーンを大きくしたとしても、この映像表示装置の全体的な形状はコンパクトにでき、例えば、モールにおける顧客通路の側方など、狭いところにでも上記映像表示装置の設置ができて便利である。
【００２０】
請求項２の発明は、上記発光ダイオードをカバーに取り付け、これら各カバーの開口縁部をそれぞれ上記スクリーンの後面に取り付けている。
【００２１】
このため、上記発光ダイオードとカバーとの取り付けのために別途の取り付け部材を設けることは不要である。よって、上記映像表示装置の部品点数を少なく抑制できて、その構成を簡単にできる。
【００２２】
請求項３の発明は、上記スクリーンを可撓性とし、上記スクリーンの後面に沿った方向で上記各カバーを互いに離間させている。
【００２３】
このため、上記スクリーンは、隣り合う各カバーの間の部分を撓ませることにより任意に屈曲させることができる。よって、例えば、建物における円形の主柱の外周面に沿ってスクリーンを湾曲させるなど、所望形状に屈曲させることができて、映像表示装置の設置の自由度が向上する。
【００２４】
また、上記したように、スクリーンを屈曲させたとしても、前記したように、各発光ダイオードとカバーとはスクリーンの各部における後面の近傍に配置されているため、上記発光ダイオードからの映像光により上記スクリーンの各部に映写される各部映像は、それぞれ鮮明に表示される。
【００２５】
請求項４の発明は、上記各カバーを上記スクリーンの後面にほぼ直交する方向で後方に向かって突出させ、かつ、上記各カバーをその突出方向に向かってのテーパ形状とし、上記各カバーの突出端部に上記発光体を取り付けている。
【００２６】
ここで、仮に、上記スクリーンの後面が凹面となるようこのスクリーンを屈曲させるとき、互いに隣り合う上記カバーの各突出端部同士は互いに接近して接触しようとする。しかし、これら各カバーは上記したようにテーパ形状であるため、上記した互いの接触は防止される。よって、上記スクリーンを、より大きく所望形状に屈曲させることができて、映像表示装置の設置の自由度がより向上する。
【００２７】
請求項５の発明は、上記スクリーンを支持する支持体を設け、この支持体側に対し、上記各カバーがそれぞれ相対変動可能となるようにしている。
【００２８】
このため、上記スクリーンの後面と各カバーの開口縁部とを互いに圧接させるとき、上記スクリーンが凹凸など特有の形状を有するとしても、また、風圧などによりスクリーンが上記支持体側に対し相対的に振動するとしても、上記各カバーが上記支持体側に対し相対変動することにより、上記各カバーは、その開口縁部が上記スクリーンの後面に対し全体的に接合するよう変動して追従する。
【００２９】
よって、上記スクリーンの後面とこれに接合したカバーの開口縁部の一部との間から上記発光ダイオードの光が洩れる、というような不都合の発生は防止され、上記スクリーンの前面に所望の映像が得られる。
【００３０】
請求項６の発明は、上記スクリーンに対し、上記各カバーを圧接させるようこれら各カバーを付勢する弾性体を設けている。
【００３１】
このため、上記スクリーンの後面と各カバーの開口縁部とを互いに圧接させるとき、上記スクリーンの後面に対し、上記各カバーは、その開口縁部が上記弾性体の付勢力によって、より確実に全体的に接合するよう変動して追従する。よって、上記のように発光ダイオードの光が洩れる、ということはより確実に防止されて、上記スクリーンの前面には、より鮮明な所望の映像が得られる。
【発明を実施するための最良の形態】
【００３２】
本発明の映像表示装置に関し、映像表示装置における映写用のスクリーンを大きくしたとしても、この映像表示装置の全体的な形状をコンパクトにできるようにして、この装置を狭いところにでも設置できるようにする、という目的を実現するため、本発明を実施するための最良の形態は、次の如くである。
【００３３】
即ち、映像表示装置は、映像光の受光面とされる後面、および上記映像光の映像を映写する映写面とされる前面を有する透光性スクリーンと、上記映像光を発光する発光体とを備えている。上記発光体は、上記スクリーンの後面近傍で、この後面に沿った方向で複数配置される発光ダイオードと、上記各発光ダイオードをそれぞれその後方から覆い、これら発光ダイオードからの映像光を上記スクリーンの後面に向かわせるようこのスクリーンの後面に向かって開口する複数のカバーとを備えている。
【実施例１】
【００３４】
本発明をより詳細に説明するために、その実施例１を添付の図１−４に従って説明する。
【００３５】
図１−４において、符号１は映像表示装置で、説明の便宜上、矢印Ｆｒの方向を前方として以下説明する。
【００３６】
上記映像表示装置１は、床面２上に設置される複数（３つ）の台車３と、これら台車３に支持される支持体４と、この支持体４に支持されると共に、この支持体４により所定形状になるよう保形され、映像を映写可能とするスクリーン５と、このスクリーン５に向かって映像光６を発光する発光体７とを備えている。なお、上記映像には、文字や符号が含まれるものとする。
【００３７】
上記各台車３は、前後方向に長く延びる車台１０と、この車台１０に支持されて、上記床面２上を転動可能とされるキャスターである前後一対の車輪１１，１１とを備えている。上記各車輪１１の転動により、上記各台車３は、床面２上を所望位置にまで移動可能とされている。また、上記各台車３は互いに同形同大とされ、左右に並設されている。
【００３８】
上記支持体４は、映像表示装置１の平面視（図２）で、前方に向かって凸となる円弧形状をなし、かつ、映像表示装置１の正面視（図４）で、左右に長い長方形枠形状をなすフレーム構造とされている。具体的には、上記支持体４は、上下方向で離れて位置する上、下部フレーム１３，１４と、縦方向に延び、これら上、下部フレーム１３，１４の各側端部同士を結合する左右一対の側部フレーム１５，１５とを備えている、上記上、下部フレーム１３，１４の各側端部と中央部とが上記各台車３の車台１０に締結具１６により支持されている。これにより、上記各台車３に支持体４が支持されている。
【００３９】
上記スクリーン５は、映像表示装置１の正面視（図４）で、左右に長い長方形状とされている。このスクリーン５の各外縁部は上記上、下部フレーム１３，１４と各側部フレーム１５との各前面に接合させられている。また、このスクリーン５の各外縁端部が上記各フレーム１３−１５に取付板１７と不図示の締結具とにより取り付けられている。これにより、上記スクリーン５は、映像表示装置１の平面視（図２）で、前方に向かって凸となる円弧形状となるよう保形され、上記支持体４の前面に支持されている。
【００４０】
上記スクリーン５は繊維を基材として、これに樹脂皮膜をコーティングした半透明で透光性の膜体であり、全体として２次元や３次元に任意に屈曲可能な可撓性を有している。また、上記スクリーン５は、その面方向で多少の弾性を有し、この面方向の各部がわずかの引張応力を与えられて、上記支持体４に張設されている。上記スクリーン５の後面２０は上記映像光６の受光面とされ、上記スクリーン５の前面２１は上記映像光６の映像を映写する映写面とされている。
【００４１】
上記発光体７は、上記スクリーン５の後面２０近傍で、この後面２０に沿った方向で複数配置される発光ダイオード２４と、上記各発光ダイオード２４をそれぞれその後方から覆い、この発光ダイオード２４からの映像光６を上記スクリーン５の後面２０に向かわせるようこのスクリーン５の後面２０に向かって開口する複数のカバー２５とを備えている。上記発光ダイオード２４は発光色の異なるダイオード群で構成され、上記カバー２５に取り付けられたソケット２６に着脱可能に取り付けられている。
【００４２】
上記各カバー２５の開口縁部はそれぞれ上記スクリーン５の後面２０に接着材２８により取り付けられている。この場合、上記各カバー２５は、上記スクリーン５の後面２０に沿った方向で、縦方向かつ横方向に列設され、互いに離間して個別に上記スクリーン５の後面２０に取り付けられている。
【００４３】
上記縦方向に列設された各発光ダイオード２４群の後方近傍に、それぞれ縦方向に延びる配線パイプ２９が設けられている。これら各配線パイプ２９は樹脂製で、剛性のある円形パイプであり、その上、下端部が上記上、下部フレーム１３，１４に両持ち支持されるよう固定されている。上記発光ダイオード２４は、不図示の電源や制御装置にワイヤハーネス３０により接続されている。このワイヤハーネス３０は、上記上、下部フレーム１３，１４や配線パイプ２９内に配線されている。
【００４４】
上記スクリーン５に沿う各視線でみた場合（図１−３）において、上記各カバー２５は、上記スクリーン５の後面２０にほぼ直交する方向で後方に向かって突出し、かつ、その突出方向に向かってテーパ形状とされている。より具体的には、上記各カバー２５は円錐台筒形状をなし、そのほぼ軸心３３上で、その突出端部に上記ソケット２６が取り付けられている。
【００４５】
そして、上記発光体７によりスクリーン５に向けて映像光６を発光させれば、この映像光６は上記スクリーン５の後面２０で受光されてこのスクリーン５をその前面２１側に透過し、この前面２１で上記映像光６の映像が映写される。この際、上記スクリーン５の前方に居る人により、映像が観賞など見ることが可能とされる。
【００４６】
上記構成によれば、発光体７が、上記スクリーン５の後面２０近傍で、この後面２０に沿った方向で複数配置される発光ダイオード２４と、上記各発光ダイオード２４をそれぞれその後方から覆い、これら発光ダイオード２４からの映像光６を上記スクリーン５の後面２０に向かわせるようこのスクリーン５の後面２０に向かって開口する複数のカバー２５とを備えている。
【００４７】
このため、前後方向で上記スクリーン５と発光体７とは互いに接近して、上記映像表示装置１は全体として偏平な形状とされる。よって、上記映像表示装置１におけるスクリーン５を大きくしたとしても、この映像表示装置１の全体的な形状はコンパクトにでき、例えば、モールにおける顧客通路の側方など、狭いところにでも上記映像表示装置１の設置ができて便利である。
【００４８】
また、前記したように、発光ダイオード２４をカバー２５に取り付け、これら各カバー２５の開口縁部をそれぞれ上記スクリーン５の後面２０に取り付けている。
【００４９】
このため、上記発光ダイオード２４とカバー２５との取り付けのために別途の取り付け部材を設けることは不要である。よって、上記映像表示装置１の部品点数を少なく抑制できて、その構成を簡単にできる。
【００５０】
また、前記したように、スクリーン５を可撓性とし、上記スクリーン５の後面２０に沿った方向で上記各カバー２５を互いに離間させている。
【００５１】
このため、上記スクリーン５は、隣り合う各カバー２５の間の部分を撓ませることにより任意に屈曲させることができる。よって、例えば、建物における円形の主柱の外周面に沿ってスクリーン５を湾曲させるなど、２次元だけでなく３次元の所望形状に屈曲させることができて、映像表示装置１の設置の自由度が向上する。
【００５２】
また、上記したように、スクリーン５を屈曲させたとしても、前記したように、各発光ダイオード２４とカバー２５とはスクリーン５の各部における後面２０の近傍に配置されているため、上記発光ダイオード２４からの映像光６により上記スクリーン５の各部に映写される各部映像は、それぞれ鮮明に表示される。
【００５３】
また、前記したように、各カバー２５を上記スクリーン５の後面２０にほぼ直交する方向で後方に向かって突出させ、かつ、上記各カバー２５をその突出方向に向かってのテーパ形状とし、上記各カバー２５の突出端部に上記発光体７を取り付けている。
【００５４】
ここで、仮に、上記スクリーン５の後面２０が凹面となるようこのスクリーン５を屈曲させるとき、互いに隣り合う上記カバー２５，２５の各突出端部同士は互いに接近して接触しようとする。しかし、これら各カバー２５は上記したようにテーパ形状であるため、上記した互いの接触は防止される。よって、上記スクリーン５を、より大きく所望形状に屈曲させることができて、映像表示装置１の設置の自由度がより向上する。
【００５５】
なお、以上は図示の例によるが、上記支持体４は、スクリーン５を支持する建物の壁構造や、構築物に張設されるワイヤーのようなものであってもよい。また、上記スクリーン５は樹脂製板材など剛性体で成形してもよい。また、スクリーン５は平坦形状、波形状、および球形状などであってもよい。また、カバー２５は角錐台筒形状であってもよく、全体的に円筒形状であってもよく、また、列設された複数の発光ダイオード２４を一体的に覆うトラフ形状であってもよい。
【００５６】
また、上記配線パイプ２９は左右に長く延びるものであってもよく、可撓性や弾性を有するようにして、上記スクリーン５に沿って屈曲可能なものにしてもよい。また、上記配線パイプ２９はその軸方向に伸縮可能なフレキシブルパイプであってもよい。
【００５７】
図１，２，４の各部分と、以下の図５，６は、実施例２，３を示している。これら各実施例２，３は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００５８】
本発明をより詳細に説明するために、その実施例２を添付の図１，２，４，５に従って説明する。
【００５９】
図５において、上記カバー２５は、その軸方向中途部が後方に向かってのテーパ形状となる円錐台筒形状とされている。また、上記カバー２５の前部は、上記中途部の前縁部に一体的に形成される径大円筒形状とされ、後部は、上記中途部の後縁部に一体的に形成される径小円筒形状とされている。
【００６０】
上記カバー２５の突出端部（後端部）には、その軸心３３上に円形の嵌合孔３４が形成されている。
【００６１】
また、ほぼ上記軸心３３上にボルト３５が配置され、このボルト３５のねじ部３６が上記配線パイプ２９に螺合されている。上記ねじ部３６に螺合されたナット３７により、上記配線パイプ２９にボルト３５が固定されている。上記配線パイプ２９とシール体３９とは上記支持体４に固定されていて、この支持体４側の部材を構成している。上記ボルト３５の頭部が上記ソケット２６とされている。
【００６２】
上記ボルト３５のねじ部３６側に対し、上記各カバー２５の嵌合孔３４が嵌合させられている。これにより、上記支持体４側である上記配線パイプ２９に上記各カバー２５がそれぞれ個別に取り付けられている。
【００６３】
上記の場合、配線パイプ２９に対し、上記各カバー２５はそれぞれ相対変動Ａ，Ｂ可能となるよう取り付けられている。具体的には、上記各カバー２５は、上記支持体４側であるボルト３５に対しその軸方向に沿って所定寸法だけ、前後に移動Ａ可能となるよう取り付けられている。また、上記嵌合孔３４の内径寸法は、上記ボルト３５のねじ部３６側の外径寸法よりも、かなり大きくされている。これにより、上記カバー２５の前部側は、上記軸心３３上のある点をほぼ中心として所定角度だけ、径方向でのあらゆる方向に揺動Ｂ可能とされている。
【００６４】
上記カバー２５の開口縁部が、全体的に上記スクリーン５の後面２０に圧接するよう上記カバー２５を付勢するコイルスプリングである弾性体３８が設けられている。この弾性体３８は上記軸心３３上に位置している。また、上記スクリーン５の後面２０とカバー２５の開口縁部との間にシール体３９が介設されている。
【００６５】
上記構成によれば、スクリーン５を支持する支持体４を設け、この支持体４側に対し、上記各カバー２５がそれぞれ相対変動Ａ，Ｂ可能となるようにしている。
【００６６】
このため、上記スクリーン５の後面２０と各カバー２５の開口縁部とを互いに圧接させるとき、上記スクリーン５が凹凸など特有の形状を有するとしても、また、風圧などによりスクリーン５が上記支持体４側に対し相対的に振動するとしても、上記各カバー２５が上記支持体４側に対し相対変動することにより、上記各カバー２５は、その開口縁部が上記スクリーン５の後面２０に対し全体的に接合するよう変動して追従する。
【００６７】
よって、上記スクリーン５の後面２０とこれに接合したカバー２５の開口縁部の一部との間から上記発光ダイオード２４の光が洩れる、というような不都合の発生は防止され、上記スクリーン５の前面２１に所望の映像が得られる。
【００６８】
また、前記したように、スクリーン５に対し、上記各カバー２５を圧接させるようこれら各カバー２５を付勢する弾性体を設けている。
【００６９】
このため、上記スクリーン５の後面２０と各カバー２５の開口縁部とを互いに圧接させるとき、上記スクリーン５の後面２０に対し、上記各カバー２５は、その開口縁部が上記弾性体３８の付勢力によって、より確実に全体的に接合するよう変動して追従する。よって、上記のように発光ダイオード２４の光が洩れる、ということはより確実に防止されて、上記スクリーン５の前面２１には、より鮮明な所望の映像が得られる。
【００７０】
なお、以上は図示の例によるが、上記スクリーン５の後面２０とカバー２５の開口縁部とは単に接するだけでもよく、多少離れていてもよい。また、上記弾性体３８はクッション性のあるゴムやスポンジ状のものであってもよく、上記カバー２５内に設けてもよい。
【実施例３】
【００７１】
本発明をより詳細に説明するために、その実施例３を添付の図１，２，４，６に従って説明する。
【００７２】
図６において、上記カバー２５は、その軸方向のほぼ全体が後方に向かってのテーパ形状となる円錐台筒形状とされている。このカバー２５の突出端部（後端部）には上記ソケット２６が螺合により取り付けられている。
【００７３】
前記配線パイプ２９に代えて、上記各発光体７を支持する板金製の支持フレーム４３が設けられている。上記各軸心３３周りの周方向で等ピッチとなるよう複数（４本）のボルト４４が配置されている。これら各ボルト４４のねじ部３６の後端は、このねじ部３６に螺合されたナット４６により上記支持フレーム４３に固定されている。上記各ボルト４４は上記軸心３３と平行に延び、その頭部４７側が前方に向かって突出している。
【００７４】
一方、上記カバー２５の突出端部には、外向きフランジ４９が一体的に形成され、この外向きフランジ４９には、上記軸心３３周りの周方向で等ピッチとなるよう複数（４つ）の嵌合孔５０が形成されている。上記ボルト４４のねじ部４５側に対し、上記外向きフランジ４９の各嵌合孔５０が嵌合させられている。これにより、上記支持体４側である上記支持フレーム４３に上記各カバー２５がそれぞれ個別に取り付けられている。
【００７５】
上記ボルト４４および嵌合孔５０は、前記実施例２におけるボルト３５およびねじ部３６と同様の構成を有している。また、図６中の各符号において、前記実施例２の図５と共通するものは、その構成、作用効果も共通している。
【図面の簡単な説明】
【００７６】
【図１】実施例１を示し、図２のI−I線矢視断面図である。
【図２】実施例１を示し、映像表示装置の平面部分断面図である。
【図３】実施例１を示し、図２の部分拡大断面図である。
【図４】実施例１を示し、映像表示装置の部分正面図である。
【図５】実施例２を示し、図３に相当する図である。
【図６】実施例３を示し、図３に相当する図である。
【符号の説明】
【００７７】
１    映像表示装置
２    床面
３    台車
４    支持体
５    スクリーン
６    映像光
７    発光体
２０  後面
２１  前面
２４  発光ダイオード
２５  カバー
２６  ソケット
２８  接着材
２９  配線パイプ
３０  ワイヤハーネス
３３  軸心
３８  弾性体
４３  支持フレーム
Ａ    移動
Ｂ    揺動
【図１】
2008040040.tif 000003
【図２】
2008040040.tif 000004
【図３】
2008040040.tif 000005
【図４】
2008040040.tif 000006
【図５】
2008040040.tif 000007
【図６】
2008040040.tif 000008